(57)【要約】【課題】  一般的なキュービクル方式を採用することなく、必要最小限の構成要素を用いて、複数の蓄電池を使用可能な状態でまとめて設置し得る、蓄電池装置提供する。【解決手段】  本発明にかかる蓄電池装置は、一つ以上の蓄電池を用いて構成されるユニット電池２０と、前記ユニット電池２０の端子突出面２０ａを覆うべく前記ユニット電池に取り付け可能な蓋体３０とを備え、前記ユニット電池２０に取り付けられた状態にて、前記ユニット電池２０から突出した端子との間に所定間隔を有すべく、前記蓋体３０が形成されている。【選択図】  図１
2004273428.tif 000002
【特許請求の範囲】
【請求項１】
一つ以上の蓄電池を用いて構成されるユニット電池と、前記ユニット電池の端子突出面を覆うべく前記ユニット電池に取り付け可能な蓋体とを備え、
前記ユニット電池に取り付けられた状態にて、前記ユニット電池から突出した端子との間に所定間隔を有すべく、前記蓋体が形成されている
ことを特徴とする蓄電池装置。
【請求項２】
前記ユニット電池に蓋体取付部が設けられ、前記蓋体取付部を介して前記ユニット電池に前記蓋体が取り付けられている
請求項１に記載の蓄電池装置。
【請求項３】
前記蓋体取付部が、六角ポストである
請求項２に記載の蓄電池装置。
【請求項４】
前記蓋体取付部が、蓋体を保持するための保持部と、蓋体を前記ユニット電池の突出した端子から所定間隔だけ離間させる離間部と、蓋体取付部を前記ユニット電池に取り付けるために機能する取付部とを有する
請求項２に記載の蓄電池装置。
【請求項５】
前記蓋体取付部が、ユニット電池を構成する蓄電池を収納可能なユニットケースの、上下面あるいは左右面のどちらか一方の対向した二面を、前記ユニット電池の端子突出面よりも突出させて、構成されている
請求項２に記載の蓄電池装置。
【請求項６】
前記蓋体が、蓋本体部と、前記蓋本体部を前記ユニット電池の突出した端子から所定間隔だけ離間させる離設部と、前記ユニット電池に取り付けるために機能する取付部とを有する
請求項１に記載の蓄電池装置。
【請求項７】
一つ以上の蓄電池を用いて構成されるユニット電池と、前記ユニット電池の端子突出面を覆うべく前記ユニット電池に取り付け可能な蓋体とを備え、
複数の前記ユニット電池が、縦方向および横方向の少なくともいずれか一方に並べられた状態で相互に固定されており、
一つ以上の前記ユニット電池を覆うべく、且つ前記ユニット電池に取り付けられた状態にて、前記ユニット電池から突出した端子との間に所定間隔を有すべく、前記蓋体が形成されている
ことを特徴とする蓄電池装置。
【請求項８】
前記ユニット電池に蓋体取付部が設けられ、前記蓋体取付部を介して前記ユニット電池に前記蓋体が取り付けられている
請求項７に記載の蓄電池装置。
【請求項９】
前記蓋体取付部が、六角ポストである
請求項８に記載の蓄電池装置。
【請求項１０】
前記蓋体取付部が、蓋体を保持するための保持部と、蓋体を前記ユニット電池の突出した端子から所定間隔だけ離間させる離間部と、蓋体取付部を前記ユニット電池に取り付けるために機能する取付部とを有する
請求項８に記載の蓄電池装置。
【請求項１１】
前記蓋体取付部が、ユニット電池を構成する蓄電池を収納可能なユニットケースの、上下面あるいは左右面のどちらか一方の対向した二面を、前記ユニット電池の端子突出面よりも突出させて、構成されている
請求項８に記載の蓄電池装置。
【請求項１２】
前記蓋体が、蓋本体部と、前記蓋本体部を前記ユニット電池の突出した端子から所定間隔だけ離間させる離設部と、前記ユニット電池に取り付けるために機能する取付部とを有する
請求項７に記載の蓄電池装置。
【発明の詳細な説明】
【技術分野】
【０００１】
本発明は、複数の蓄電池を使用可能な状態でまとめて設置する、蓄電池装置に関するものである。
【背景技術】
【０００２】
複数の蓄電池を使用可能な状態でまとめて設置する方法としては、キュービクル方式がよく知られている（例えば、特許文献１参照）。キュービクル方式とは、鋼板等で形成された外殻部であるキュービクルの中に、複数の蓄電池を収納して使用する方式である。
【０００３】
屋内に複数の蓄電池を設ける場合には、防災上、鋼板等にて形成されたキュービクルの中に蓄電池を収納する必要があるため、一般に、鋼板を溶接等して筐体形状を有するキュービクルを形成し、このキュービクルの中に複数の蓄電池が収納され、キュービクル外にも保守空間が設けられている。
【０００４】
そして、従来技術にかかるキュービクル方式においては、キュービクル内に蓄電池の設置作業用のスペースが必要となるため、キュービクルの小型化が図り難いという問題があった。
【０００５】
そこで、かかる問題を解決するため、例えば、特開２００１−２０２９４２号公報（特許文献２）にて開示された技術が知られている。この特許文献２においては、複数の蓄電池を収納固定したユニット電池を縦方向および横方向に並べて相互に固定し、これらの前面に扉取付用枠を設け、この扉取付用枠に扉を開閉可能に取り付けて、複数の蓄電池を使用可能な状態でまとめて設置している。
【０００６】
この特許文献２のような構成によれば、複数個のユニット電池の前面に扉取付用枠と扉とを直接取り付けるため、キュービクル方式のように、キュービクル内に設置作業用のスペースを設けないで設置することが可能となる。つまり、全ユニット電池のサイズに加えてその前方にわずかな空間を設けるだけで設置が可能となるため、設置スペースの無駄をなくすことができる。
【０００７】
【特許文献１】実開昭５９−１６１２６５号公報
【特許文献２】特開２００１−２０２９４２号公報
【発明の開示】
【発明が解決しようとする課題】
【０００８】
しかしながら、上記従来技術（特許文献２に記載された技術）においては、ユニット電池の前面に扉取付用枠を設けてから、この扉取付用枠に扉を取り付けるため、従来のユニット電池に対して、少なくとも二つ以上の構成要素が増加するという問題があった。
【０００９】
そこで、本発明は、上記従来技術に係る問題を解決するためになされたものであって、一般的なキュービクル方式を採用することなく、必要最小限の構成要素を用いて、複数の蓄電池を使用可能な状態でまとめて設置し得る、蓄電池装置を提供することを課題とする。
【課題を解決するための手段】
【００１０】
上記課題を解決するためになされた本発明にかかる蓄電池装置は、一つ以上の蓄電池を用いて構成されるユニット電池と、前記ユニット電池の端子突出面を覆うべく前記ユニット電池に取り付け可能な蓋体とを備え、前記ユニット電池に取り付けられた状態にて、前記ユニット電池から突出した端子との間に所定間隔を有すべく、前記蓋体が形成されていることを特徴としている（請求項１）。
【００１１】
また、上記課題を解決するためになされた本発明にかかる蓄電池装置は、一つ以上の蓄電池を用いて構成されるユニット電池と、前記ユニット電池の端子突出面を覆うべく前記ユニット電池に取り付け可能な蓋体とを備え、複数の前記ユニット電池が、縦方向および横方向の少なくともいずれか一方に並べられた状態で相互に固定されており、一つ以上の前記ユニット電池を覆うべく、且つ前記ユニット電池に取り付けられた状態にて、前記ユニット電池から突出した端子との間に所定間隔を有すべく、前記蓋体が形成されていることを特徴としている（請求項７）。
【００１２】
本発明にかかる蓄電池装置においては、前記ユニット電池に蓋体取付部が設けられ、前記蓋体取付部を介して前記ユニット電池に前記蓋体が取り付けられている構成が好ましい。
【００１３】
前記蓋体取付部としては、六角ポストであることが好ましい。
【００１４】
また、前記蓋体取付部としては、蓋体を保持するための保持部と、蓋体を前記ユニット電池の突出した端子から所定間隔だけ離間させる離間部と、蓋体取付部を前記ユニット電池に取り付けるために機能する取付部とを有することが好ましい。
【００１５】
さらに、前記蓋体取付部としては、ユニット電池を構成する蓄電池を収納可能なユニットケースの、上下面あるいは左右面のどちらか一方の対向した二面を、前記ユニット電池の端子突出面よりも突出させて、構成されていることが好ましい。
【００１６】
本発明にかかる蓄電池装置においては、前記蓋体が、蓋本体部と、前記蓋本体部を前記ユニット電池の突出した端子から所定間隔だけ離間させる離設部と、前記ユニット電池に取り付けるために機能する取付部とを有することが好ましい。
【発明の効果】
【００１７】
上記請求項１、７の発明によれば、一般的なキュービクル方式を採用することなく、必要最小限の構成要素を用いて、複数の蓄電池を使用可能な状態でまとめて設置し得る、蓄電池装置を得ることができる。
【発明を実施するための最良の形態】
【００１８】
以下、図面に基づいて、本発明の実施の形態を説明する。
【００１９】
本発明の蓄電池装置１０は、たとえば、図１、図３、図７及び図１１の概略斜視図に示した如く、一つ以上の蓄電池２１を用いて構成されるユニット電池２０と、前記ユニット電池２０の端子突出面２０ａを覆うべく前記ユニット電池２０に取り付け可能な蓋体３０とを備え、前記蓋体３０を、ユニット電池２０に取り付けられた状態にて、前記ユニット電池２０の端子突出面２０ａと前記蓋体３０との間に所定間隔を有するように形成している。
【００２０】
前記ユニット電池２０は、たとえば、図２、図４、図８及び図１２の概略斜視図に示した如く、八つの蓄電池２１を用いて構成されている。より具体的には、ユニットケース２２内に、上下二段に四つずつの蓄電池２１が収納固定されることによって構成されている。
【００２１】
前記ユニットケース２２は金属製の枠体であり、この枠体の前面側は、蓄電池２１が収納可能であるように開放されている。なお、図２、図４、図８及び図１２は、蓄電池２１が収納されている状態を示しているので、この図２、図４、図８及び図１２に示された枠体（ユニットケース２２の本体部）の「前面」は、各蓄電池２１の端子２１１，２１２が突出している面（本発明の「端子突出面」に相当）である。
【実施例】
【００２２】
〈実施例１〉
実施例１では、ユニット電池２０に蓋体取付部が設けられ、この蓋体取付部を介してユニット電池２０に蓋体３０が取り付けられている、ことを特徴とする。
【００２３】
前記蓋体取付部は、図１、図２では、六角ポスト２３であり、この六角ポスト２３がユニットケース２２の前面側の四隅近傍に四本設けられている。
【００２４】
そして、蓋体３０には、ユニットケース２２に設けられた蓋体取付部たる六角ポスト２３に対応すべく、四つの取付孔部３３が形成されている。つまり、図１に示すように、各取付孔部３３の裏面側にはそれぞれ対応する六角ポスト２３が位置するように、各取付孔部３３が形成され（各六角ポスト２３が配設され）、この取付孔部３３を介して六角ポスト２３にボルト等（図示省略）を螺合させることによって、蓋体３０がユニット電池２０に取り付けられる。なお、蓋体３０は、図１に示すように、例えば、厚さ１．６ｍｍ〜２．３ｍｍ程度の鋼板等の板状部材を折り曲げて形成されている。
【００２５】
また、前記蓋体取付部は、図３、図４では、蓋体３０を保持するための保持部３６と、蓋体３０を前記ユニット電池２０の突出した端子２１１，２１２から所定間隔だけ離間させる離間部３７と、蓋体取付部を前記ユニット電池２０に取り付けるために機能する取付部３８とを有したものであり、これがユニットケース２２の前面側の左右面に設けられている。
【００２６】
そして、蓋体３０には、蓋体取付部の保持部３６に設けためねじ部３６１に対応すべく、四つの取付孔部３３が形成されている。なお、蓋体取付部の取付部３８には、ユニットケース２２に設けためねじ部（図示省略）に対応すべく、四つの取付孔部３８１が形成されており、この取付孔部３８１を介して、ユニットケース２２に設けためねじ部（図示省略）にボルト等（図示省略）を螺合させることによって、蓋体取付部がユニットケース２２に取り付けられるとともに、蓋体取付部の離間部３７によってユニット電池２０の突出した端子２１１，２１２から所定間隔だけ離間させるようにしている。つまり、図３に示すように、各取付孔部３３の裏面側にはそれぞれ対応する取付めねじ部３６１が位置するように、各取付孔部３３が形成され、この取付孔部３３を介して取付めねじ部３６１にボルト等（図示省略）を螺合させることによって、蓋体３０がユニット電池２０に取り付けられる。なお、蓋体３０は、図３に示すように、例えば、厚さ１．６ｍｍ〜２．３ｍｍ程度の鋼板等の板状部材を折り曲げて形成されている。
【００２７】
また、前記蓋体取付部は、図７、図８では、ユニット電池２０を構成する蓄電池２１を収納可能なユニットケース２２の、前面側の左右両側の側面部２２０を、その構成要素である前面側端部２２１が、各蓄電池２１に設けられた端子２１１，２１２の突出面よりも前面に突出させることによって構成されている。
【００２８】
そして、この前面側端部２２１には、蓋体３０を取り付けるための取付めねじ部２２３が設けられている。なお、蓋体３０には、前記取付めねじ部２２３に対応すべく、四つの取付孔部３３が形成されている。つまり、図７に示すように、各取付孔部３３の裏面側にはそれぞれ対応する取付めねじ部２２３が位置するように、各取付孔部３３が形成され、この取付孔部３３を介して取付めねじ部２２３にボルト等（図示省略）を螺合させることによって、蓋体３０がユニット電池２０に取り付けられる。なお、蓋体３０は、図７に示すように、例えば、厚さ１．６ｍｍ〜２．３ｍｍ程度の鋼板等を用いて構成されている。
【００２９】
上記実施例のうち、図１と図２及び図３と図４では、ユニット電池２０が一つの場合であるが、蓄電池２１を収納するユニットケース２２に、ユニット電池２０同士を縦方向および横方向の少なくともいずれか一方に並べた状態で相互に固定するための連接部２４を設けておけば、複数のユニット電池２０からなる蓄電池装置を構成することができる。前記連接部２４は、ユニットケース２２の前面側および後面側の四隅のそれぞれの箇所に設けられており、ユニットケース２２の前面側には、前面側下方連接部２４ａおよび前面側上方連接部２４ｂが設けられ、後面側には、後面側下方連接部２４ｃおよび後面側上方連接部２４ｄが設けられている。各連接部２４には、連接を行う際に用いるボルト（後述する）を貫通させるための連接孔部（第一連接孔部２４１，第二連接孔部２４２）が形成されている。
【００３０】
すなわち、図５に具体的に示した如く、前記蓄電池装置４０は先に説明した図１と図２のユニット電池２０を縦方向に並べた状態で相互に固定して構成されている。図５に示すように、蓄電池装置４０は、縦方向（上方向）に積み上げられて相互に固定された複数のユニット電池２０と、これらの各ユニット電池２０にそれぞれ取り付けられた蓋体３０と、最上部のユニット電池２０の上方に設けられた制御ボックス５０と、床面に固定可能なチャンネルベース６０等とを用いて構成されている。ここで、制御ボックス５０は、最上部のユニット電池２０と蓋体３０と間に設けられた上方の空隙部をなくすように配設されており、この制御ボックス５０の内部を介して、ユニット電池２０に設けられた端子等に接続された配線が、蓄電池装置４０の外部と接続されている。
【００３１】
図６は、図５に示された蓄電池装置４０を構成する際における、各ユニット電池２０の固定工程を示す概略斜視図である。
【００３２】
図６に示すように、前記蓄電池装置４０を構成する場合には、各ユニット電池２０の端子が突出した面を揃えた状態で、一のユニット電池２０の上に他のユニット電池２０を積み上げる。この際、一のユニット電池２０の上方連接部２４ｂ，２４ｄと、他のユニット電池２０の下方連接部２４ａ，２４ｃとに設けられた各第一連接孔部２４１が、それぞれ連通状態となるようにユニット電池２０が積み上げられる。
【００３３】
上記のようにユニット電池２０が積み上げられた後には、次いで、各第一連接孔部２４１に座金２７を介してボルト２５を挿入し、さらに座金２７を介してボルト２５にナット２６を螺合させる。このボルト２５、ナット２６、および座金２７による接続は、重ね合わされている四隅の全ての連接部２４について行われる。
【００３４】
図５においては、三つのユニット電池２０が縦方向に積み上げられて構成されているため、蓄電池装置４０を構成する場合には、図６に示した工程をもう一度行い、図６の上方に位置するユニット電池２０の上にさらにユニット電池２０を積み上げて固定する必要がある。
【００３５】
次いで、最下部のユニット電池２０の下方にチャンネルベース６０を取り付け、最上部のユニット電池２０の上方に制御ボックス５０を設ける。なお、蓄電池装置４０を構成する各蓄電池２１については、それぞれ適切に各端子の結線が行われ、配線が制御ボックス５０内に導かれ、この制御ボックス５０を介して蓄電池装置４０が外部装置等と接続される。
【００３６】
そして、各ユニット電池２０に対して、先に説明したような手順にて蓋体３０が取り付けられることによって、図５に示すような蓄電池装置４０が構成されることとなる。なお、図３と図４のユニット電池を縦方向に並べた状態で相互に固定したものは蓋体３０の形状が異なる以外は同等であるので、説明は省略する。
【００３７】
同様に、図７と図８では、ユニット電池２０が一つの場合であるが、蓄電池２１を収納するユニットケース２２に、ユニット電池２０同士を縦方向に並べた状態で相互に固定するための連接部２４を設けておけば、複数のユニット電池２０からなる蓄電池装置を構成することができる。すなわち、図９に示された蓄電池装置４０は、各ユニット電池２０の固定工程を図１０に示した概略斜視図で示すように構成する。
【００３８】
前記連接部２４は、図７と図８では、ユニットケース２２の側面部２２０の前面側下部に下部連接孔部２２４ａが、側面部２２０の前面側上部に上部連接孔部２２４ｂが設けられ、ユニットケース２２の後面側に後面側連接部２４（後面側下方連接部２４ｃおよび後面側上方連接部２４ｄ）が設けられている。また、後面側連接部２４ｃ、２４ｄには、連接を行う際に用いるボルト（後述する）を貫通させるための連接孔部２４１が形成されている。
【００３９】
すなわち、図９に具体的に示した如く、前記蓄電池装置４０は先に説明したユニット電池２０を縦方向に並べた状態で相互に固定して構成されている。図９に示すように、蓄電池装置４０は、縦方向（上方向）に積み上げられて相互に固定された複数のユニット電池２０と、これらの各ユニット電池２０にそれぞれ取り付けられた蓋体３０と、最上部のユニット電池２０の上方に設けられた制御ボックス５０と、床面に固定可能なチャンネルベース６０等とを用いて構成されている。ここで、制御ボックス５０の機能は図５と同じであるので説明は省略する。
【００４０】
図１０に示すように、前記蓄電池装置４０を構成する場合には、各ユニット電池２０の端子が突出した面を揃えた状態で、一のユニット電池２０の上に他のユニット電池２０を積み上げる。この際、一のユニット電池２０の上部連接孔部２２４ｂと他のユニット電池２０の下部連接孔部２２４ａとがそれぞれ連通状態となり、加えて、一のユニット電池２０の後面側上方連接部２４ｄと他のユニット電池２０の後面側下方連接部２４ｃとの設けられた連接孔部２４１とが連通状態となるように、ユニット電池２０が積み上げられる。
【００４１】
上記のようにユニット電池２０が積み上げられた後、前面側は、連通状態にある上部連接孔部２２４ｂと下部連接孔部２２４ａとに、座金２７を介してボルト２５を挿入し、さらに座金２７を介してボルト２５にナット２６を螺合させる。また、後面側は、重ね合わせられた連接部２４において連通状態にある各連接孔部２４１に、座金２７を介してボルト２５を挿入し、さらに座金２７を介してボルト２５にナット２６を螺合させる。つまり、図９の蓄電池装置４０では、このボルト２５、ナット２６、および座金２７による接続が、重ね合わされている四隅の全ての連接孔部２２４ａ，２２４ｂ，２４１について行われる。
【００４２】
ここで、ユニット電池２０が積み上げられた後は、図５の場合と同じであるので説明は省略する。
【００４３】
〈実施例２〉
実施例２では、図１１、図１２に示した如く、蓋体３０が、蓋本体部３１と、前記蓋本体部３１を前記ユニット電池２０の突出した端子２１１，２１２から所定間隔だけ離間させる離設部３２と、前記ユニット電池２０のユニットケース２２に取り付けるために機能する取付部３３とを有している、ことを特徴とする。
【００４４】
前記取付部３３には、ユニットケース２２に形成された四つの取付めねじ部２６に対応すべく、四つの取付孔部３３１が形成されている。つまり、各取付孔部３３１の裏面側にはそれぞれ対応する取付めねじ部２６が位置するように、各取付孔部３３１が形成され、この各取付孔部３３１を介して取付めねじ部２６にボルト等（図示省略）を螺合させることによって、蓋体３０がユニット電池２０に取り付けられる。
【００４５】
前記蓋本体部３１、離設部３２及び取付部３３は、板状部材を折り曲げ成形することによって形成されている。すなわち、離設部３２を介して蓋本体部３１と取付部３３とが連接状態になっており、例えば、厚さ１．６ｍｍ〜２．３ｍｍ程度の鋼板等の板状部材を折り曲げて蓋体３０が構成されている。
【００４６】
実施例１と同様に、図１１、図１２では、ユニット電池２０が一つの場合であるが、蓄電池２１を収納するユニットケース２２に、ユニット電池２０同士を縦方向に並べた状態で相互に固定するための連接部２４を設けておけば、複数のユニット電池２０からなる蓄電池装置を構成することができる。すなわち、図１３に示された蓄電池装置４０は、各ユニット電池２０の固定工程を図１４に示した概略斜視図で示すように構成する。
【００４７】
前記連接部２４は、図１１、図１２に示した如く、ユニットケース２２の前面側および後面側の四隅のそれぞれの箇所に設けられており、ユニットケース２２の前面側には、前面側下方連接部２４ａおよび前面側上方連接部２４ｂが設けられ、後面側には、後面側下方連接部（後側に隠れているため、図示省略）および後面側上方連接部２４ｄが設けられている。各連接部２４には、連接を行う際に用いるボルト（後述する）を貫通させるための連接孔部２４１が形成されている。
【００４８】
すなわち、図１３に具体的に示した如く、前記蓄電池装置４０は先に説明したユニット電池２０を縦方向に並べた状態で相互に固定して構成されている。図１３に示すように、蓄電池装置４０は、縦方向（上方向）に積み上げられて相互に固定された複数のユニット電池２０と、これらの各ユニット電池２０にそれぞれ取り付けられた蓋体３０と、最上部のユニット電池２０の上方に設けられた制御ボックス５０と、床面に固定可能なチャンネルベース６０等とを用いて構成されている。ここで、制御ボックス５０の機能は図５と同じであるので説明は省略する。
【００４９】
図１３に示すように、前記蓄電池装置４０を構成する場合には、各ユニット電池２０の端子が突出した面を揃えた状態で、一のユニット電池２０の上に他のユニット電池２０を積み上げる。この際、一のユニット電池２０の上方連接部（前面側上方連接部２４ｂ，後面側上方連接部２４ｄ）と、他のユニット電池２０の下方連接部（前面側下方連接部２４ａ，後面側下方連接部（図示省略））とに設けられた各連接孔部２４１が、それぞれ連通状態となるように、ユニット電池２０が積み上げられる。
【００５０】
上記のようにユニット電池２０が積み上げられた後には、次いで、各連接孔部２４１に座金２７を介してボルト２８を挿入し、さらに座金２７を介してボルト２８にナット２９を螺合させる。このボルト２８、ナット２９、および座金２７による接続は、重ね合わされている四隅の全ての連接部２４について行われる。
【００５１】
ここで、ユニット電池２０が積み上げられた後は、図５の場合と同じであるので説明は省略する。
【００５２】
なお、上記実施例１、２において、蓋体３０には、各蓄電池２１における放熱を促進するために複数の排気口３５が形成されている。この排気口３５は、小動物（へび、ねずみ等）の侵入による感電等を防止するために、直径４ｍｍ〜８ｍｍ程度の大きさに形成されている。
【００５３】
また、上記実施例１、２においては、ユニット電池２０が縦方向に積み上げられて相互に固定される場合について説明したが、本発明はこの構成に限定されるものではなく、必要に応じて、複数のユニット電池２０を横方向に並べて相互に固定してもよい。さらに、縦方向および横方向に複数のユニット電池２０を並べて固定することによって、蓄電池装置を構成してもよい。
【００５４】
また、上記実施例１、２において、蓄電池装置１０を成す蓋体３０上方の空隙部は、制御ボックスではなく、必要に応じて、単なる板状部材等を用いて塞いでもよい。
【００５５】
さらに、上記実施例１、２に係る蓄電池装置１０，４０は、以上のように構成されているため、次のような効果を得ることができる。
【００５６】
すなわち、ユニット電池２０に直接的に蓋体３０を取り付けて蓄電池装置１０，４０が構成されているため、従来のキュービクル方式の場合と比べて、設置スペースの無駄をなくすことができる。
【００５７】
また、上記各実施例のうち、図１及び図３と図１１及び図１３とによれば、蓋体３０が、「コの字」型に折り曲げられて構成されているため、ユニット電池２０に対して蓋体３０を直接的に取り付けた場合であっても、ユニット電池２０の端子突出面２０ａと蓋体３０との間に、特許文献２の如く、特に「扉取付用枠」等を設けずに、所定空間（例えば、３０ｍｍ〜７０ｍｍ程度）を設けることができる。また、図７及び図９によれば、ユニットケース２２自身が端子突出面２０ａよりも突出した部位（側面部２２０（蓋取付部に相当））を有し、この側面部２２０（を成す前面側端部２２１）に蓋体３０を直接的に取り付けるように構成されているため、特許文献２の如く、特に「扉取付用枠」等を設けることなく、ユニット電池２０の端子突出面２０ａと蓋体３０との間に、同様に所定空間（例えば、３０ｍｍ〜７０ｍｍ程度）を設けることができる。
【００５８】
したがって、上記各実施例によれば、上記形状を有する蓋体３０が端子突出面２０ａを覆うように、ユニット電池２０に直接的に取り付けて蓄電池装置１０，４０が構成されているため、一般的なキュービクル方式を採用することなく、また「扉取付用枠」等を設けることなく、必要最小限の構成要素を用いて、複数の蓄電池を使用可能な状態でまとめて設置可能な、蓄電池装置１０を得ることができる。
【００５９】
また、上記各実施例においては、上述の通り「扉取付用枠」を設けることなく蓄電池装置１０，４０が構成されているため、蓄電池装置の軽量化を図ることが可能となり、特許文献２に記載の装置よりも装置を設置する際の床荷重を小さくすることができる。さらに、「扉取付用枠」を設ける必要がないため、蓄電池装置を組み立てる際の作業性を改善することが可能となる。
【００６０】
また、特許文献２において、装置の底部または扉面から吸気して上方に排気する通気性を確保しようとすれば、「扉取付用枠」の上部に開口部を設ける等の何等かの加工が必要となるが、上記各実施形態によれば、かかる開口部を設ける等の加工を施すことなく、扉面または底部からの通気性を容易に確保することができ、ユニット電池２０の端子突出面２０ａと蓋体３０との間の所定空間を介して蓄電池２１の前面からの放熱を促進することができる。
【００６１】
また、上記各実施例にかかる蓄電池装置１０，４０は、それぞれ同様のユニット電池２０を用いて構成されている。つまり、図１と図２、図３と図４、図７と図８及び図１１と図１２に示したユニット電池２０が縦方向および横方向のいずれにも並べた状態で相互に固定可能に構成されているため、必要な電力量に応じて、そのユニット電池２０の数を容易に変更可能である。なお、図１と図２、図３と図４において、縦方向に接続する場合には、第一連接孔部２４１が用いられ、横方向に接続する場合には、第二連接孔部２４２が用いられる。また、図７と図８において、ユニット電池２０を横方向に接続する場合には、ユニットケース２２の上下の対向した面を端子突出面２０ａよりも突出させて「蓋体取付部」とし、この蓋体取付部に貫通孔等を設け、横方向に並べた貫通孔をボルト等にて接続すればよい。また、図１１と図１２において、ユニット電池２０を横方向に接続する場合には、取付孔部３３１を介して取付めねじ部２６にボルト等を螺合させる際に、横方向に隣接するユニット電池とも、その取付孔部３３１を介して接続すればよい。
【００６２】
さらに、上記実施例においては、上述したように、ユニット電池２０には連接部２４が設けられ、この連接部２４を用いて複数のユニット電池２０が相互に接続され固定される。そして、この固定工程は、図６、図１０及び図１４に示すように、ユニット電池２０の前方および後方の比較的余裕のある空間にて行われる。したがって、このような連接部２４を有する構成によれば、複数のユニット電池２０を固定する際の固定工程を短時間で且つ容易に行うことができる。
【００６３】
なお、本発明は上記各実施形態に限定されるものではなく、その趣旨を逸脱しない限りにおいて、上述したもの以外に種々の変更を行うことが可能である。
【００６４】
例えば、上記各実施形態においては、ユニット電池が八つの蓄電池を用いて構成される場合について説明したが、本発明はこの構成に限定されず、必要に応じて、七つ以下あるいは九つ以上の蓄電池を用いてユニット電池を構成してもよい。
【００６５】
また、上記図１及び図３と図１１及び図１３の実施形態においては、蓋体が鋼板等の板状部材を折り曲げて構成された場合について説明したが、本発明はこの構成に限定されず、この蓋体は、ユニット電池の端子突出面との間に所定間隔を設けることが可能であれば、複数の部材を溶接等して構成されてもよい。
【産業上の利用可能性】
【００６６】
以上説明したように本発明によれば、一般的なキュービクル方式を採用することなく、必要最小限の構成要素を用いて、複数の蓄電池を使用可能な状態でまとめて設置し得る、蓄電池装置を得ることができるので、産業上の利用可能性はきわめて大きい。
【図面の簡単な説明】
【００６７】
【図１】本発明の実施例１にかかる蓄電池装置の概略斜視図である。
【図２】図１に示された蓄電池装置を構成するユニット電池の概略斜視図である。
【図３】前記実施例１の他の形態にかかる蓄電池装置の概略斜視図である。
【図４】図３に示された蓄電池装置を構成するユニット電池の概略斜視図である。
【図５】実施例１にかかる蓄電池装置を、複数のユニット電池を用いて構成した蓄電池装置の概略斜視図である。
【図６】図５の蓄電池装置における、複数のユニット電池の固定工程を示す概略斜視図である。
【図７】前記実施例１のさらに他の形態にかかる蓄電池装置の概略斜視図である。
【図８】図７に示された蓄電池装置を構成するユニット電池の概略斜視図である。
【図９】実施例１のさらに他の形態にかかる蓄電池装置を、複数のユニット電池を用いて構成した蓄電池装置の概略斜視図である。
【図１０】図９の蓄電池装置における、複数のユニット電池の固定工程を示す概略斜視図である。
【図１１】本発明の実施例２にかかる蓄電池装置の概略斜視図である。
【図１２】図１１に示された蓄電池装置を構成するユニット電池の概略斜視図である。
【図１３】実施例２にかかる蓄電池装置を、複数のユニット電池を用いて構成した蓄電池装置の概略斜視図である。
【図１４】図１３の蓄電池装置における、複数のユニット電池の固定工程を示す概略斜視図である。
【符号の説明】
【００６８】
１０…蓄電池装置
２０…ユニット電池
２０ａ…端子突出面
２１…蓄電池
２２…ユニットケース
３０…蓋体
４０…蓄電池装置
５０…制御ボックス
６０…チャンネルベース
【図１】
2004273428.tif 000003
【図２】
2004273428.tif 000004
【図３】
2004273428.tif 000005
【図４】
2004273428.tif 000006
【図５】
2004273428.tif 000007
【図６】
2004273428.tif 000008
【図７】
2004273428.tif 000009
【図８】
2004273428.tif 000010
【図９】
2004273428.tif 000011
【図１０】
2004273428.tif 000012
【図１１】
2004273428.tif 000013
【図１２】
2004273428.tif 000014
【図１３】
2004273428.tif 000015
【図１４】
2004273428.tif 000016